(57)【要約】
【課題】　　　コネクタ本体を左方又は右方へ９０度まで回転することができる回転式電話コネクタを提供する。
【解決手段】　コネクタ本体（１０）と、回転プラグ（２０）と、位置決めカバー（３０）とを備える回転式電話コネクタであって、コネクタ本体（１０）の両側に金属ピン（１００）を有するソケット（１１）が形成され、コネクタ本体（１０）の一側に位置決めカバー（３０）が設けられ、位置決めカバー（３０）には左方又は右方へ９０度まで回転可能な回転プラグ（２０）が設けられ、該回転プラグ（２０）とソケット（１１）における金属ピン（１００）の間にワイヤーが設けられることを特徴とする。
【選択図】　　図１
0003099076.tif 000002
【実用新案登録請求の範囲】
【請求項１】
コネクタ本体（１０）と、回転プラグ（２０）と、位置決めカバー（３０）とを備える回転式電話コネクタであって、
　コネクタ本体（１０）の両側に金属ピン（１００）を有するソケット（１１）が形成され、コネクタ本体（１０）の一側に位置決めカバー（３０）が設けられ、
　位置決めカバー（３０）には左方又は右方へ９０度まで回転可能の回転プラグ（２０）が設けられ、該回転プラグ（２０）とソケット（１１）における金属ピン（１００）の間にワイヤーが設けられることを特徴とする、回転式電話コネクタ。
【請求項２】
前記位置決めカバー（３０）の中央に円形の回転孔（３２）が形成され、回転プラグ（２０）の内側に回転孔（３２）と係合って回転可能な回転プレート（２１）が設けられることを特徴とする、請求項１に記載の回転式電話コネクタ。
【請求項３】
コネクタ本体（１０）の一側の上下縁に嵌合孔（１２）が形成され、位置決めカバー（３０）にその嵌合孔（１２）に対応する嵌合ブロック（３１）が設けられ、前記位置決めカバー（３０）の回転孔（３２）における直径の両端に係り止めブロック（３３）が設けられると共に、回転プラグ（２０）の回転プレート（２１）の周縁に係り止めブロック（２２）が設けられ、位置決めカバー（３０）の係り止めブロック（３２）の上方に位置決め孔（３３０）が形成されると共に、回転プレート（２１）の係り止めブロック（２２）に位置決め孔（３３０）と結合可能の位置決めブロック（２２０）が設けられることを特徴とする、請求項１又は２に記載の回転式電話コネクタ。
【考案の詳細な説明】
【技術分野】
【０００１】
　本考案は、特にコネクタ本体を左方又は右方へ９０度まで回転することができる回転式電話コネクタに関するものである。
【背景技術】
【０００２】
　電話回線の接続方法は、電話コードにおけるプラグが壁面におけるソケットに挿入されることにより声音などのデジタル信号を伝送させ、遠い場所の電話機に届けている。
【考案の開示】
【考案が解決しようとする課題】
【０００３】
　しかしながら、電話機を設置する場所の制限によってプラグは必ず壁面と垂直となるようにソケットに挿入するので、電話コードを湾曲させると共に、デジタル信号の伝送を邪魔するという問題点がある。
【０００４】
　そこで、案出されたのが本考案であって、コネクタ本体を左方又は右方へ９０度まで回転することができる回転式電話コネクタを提供することを目的としている。
【課題を解決するための手段】
【０００５】
　本願の請求項１の考案は、コネクタ本体（１０）と、回転プラグ（２０）と、位置決めカバー（３０）とを備える回転式電話コネクタであって、
　コネクタ本体（１０）の両側に金属ピン（１００）を有するソケット（１１）が形成され、コネクタ本体（１０）の一側に位置決めカバー（３０）が設けられ、
　位置決めカバー（３０）には左方又は右方へ９０度まで回転可能の回転プラグ（２０）が設けられ、該回転プラグ（２０）とソケット（１１）における金属ピン（１００）の間にワイヤーが設けられることを特徴とする回転式電話コネクタ及び、
　本願の請求項２の考案は、前記位置決めカバー（３０）の中央に円形の回転孔（３２）が形成され、回転プラグ（２０）の内側に回転孔（３２）と係合って回転可能な回転プレート（２１）が設けられることを特徴とする請求項１に記載の回転式電話コネクタ及び、
　本願の請求項３の考案は、コネクタ本体（１０）の一側の上下縁に嵌合孔（１２）が形成され、位置決めカバー（３０）にその嵌合孔（１２）に対応する嵌合ブロック（３１）が設けられ、前記位置決めカバー（３０）の回転孔（３２）における直径の両端に係り止めブロック（３３）が設けられると共に、回転プラグ（２０）の回転プレート（２１）の周縁に係り止めブロック（２２）が設けられ、位置決めカバー（３０）の係り止めブロック（３２）の上方に位置決め孔（３３０）が形成されると共に、回転プレート（２１）の係り止めブロック（２２）に位置決め孔（３３０）と結合可能の位置決めブロック（２２０）が設けられることを特徴とする請求項１又は２に記載の回転式電話コネクタ、
を提供する。
【考案の効果】
【０００６】
　本考案は、上記の課題を解決するため、コネクタ本体の両側に金属ピンを有するソケットが形成され、コネクタ本体の一側に位置決めカバーが設けられ、位置決めカバーには左方又は右方へ９０度まで回転可能な回転プラグが設けられることにより、コネクタ本体の両端におけるソケットを上方又は下方へ向かって回転させると共に、電話コードにおけるプラグは壁面と平行するようにコネクタのソケットと結合することができるので、コードの湾曲によってデジタル信号の伝送を邪魔する問題の発生を防止できる。
【考案を実施するための最良の形態】
【０００７】
　以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
　図１は本考案に係る回転式電話コネクタの斜視図であり、図２は本考案に係る回転式電話コネクタの分解斜視図であり、図３は本考案に係る回転式電話コネクタにおける位置決めカバー及び回転プラグの内側を示す平面図であり、図４は本考案に係る回転式電話コネクタの断面図であり、図５は本考案に係る回転式電話コネクタの回転前状態を示す平面図であり、図６は本考案に係る回転式電話コネクタの回転後状態を示す平面図である。
【０００９】
　図１及び図２に示すように、本考案に係る回転式電話コネクタはコネクタ本体（１０）と、回転プラグ（２０）と、位置決めカバー（３０）とを備える。コネクタ本体（１０）の両側に金属ピン（１００）を有するソケット（１１）が形成され、コネクタ本体（１０）の一側の上下縁に嵌合孔（１２）が形成され、位置決めカバー（３０）にその嵌合孔（１２）に対応する嵌合ブロック（３１）が設けられることにより、位置決めカバー（３０）はコネクタ本体（１０）の一側に固定させる。
【００１０】
　前記位置決めカバー（３０）の中央に円形の回転孔（３２）が形成され、該回転孔（３２）における直径の両端に係り止めブロック（３３）が設けられると共に、回転プラグ（２０）の内側に回転孔（３２）と係合って回転可能な回転プレート（２１）が設けられ、該回転プレート（２１）の周縁に係り止めブロック（２２）が設けられると共に、外側に弾性プレート（２３０）を有する従来のプラグ（２３）が設けられ、該プラグ（２３）の弾性プレート（２３０）の上方に押圧プレート（２４）が設けられ、又、回転プラグ（２０）とソケット（１１）における金属ピン（１００）の間にワイヤー（図示せず）が設けられる。
【００１１】
　図３に示すように、回転プレート（２１）の位置決め効果を向上するために、位置決めカバー（３０）の係り止めブロック（３３）の上方に位置決め孔（３３０）が形成されると共に、回転プレート（２１）の係り止めブロック（２２）に位置決め孔（３３０）と結合可能の位置決めブロック（２２０）が設けられる。
【００１２】
　図４に示すように、本考案に係る回転式電話コネクタのプラグ（２３）を壁におけるソケット（図示せず）から取外す場合、押圧プレート（２４）を下方へ押圧すると共に、弾性プレート（２３０）とソケットの係合を解除することにより、本考案の回転式電話コネクタを壁におけるソケットから取外す。
【００１３】
　更に、図１、図５及び図６に示すように、本考案に係る回転式電話コネクタは、回転プレート（２１）と位置決めカバー（３０）の回転によってコネクタ本体（１０）を左方又は右方へ向かって９０度まで回転させると共に、回転プレート（２１）の係り止めブロック（２２）が回転孔（３２）周縁における係り止めブロック（３３）と接触することにより、コネクタ本体（１０）の両端におけるソケット（１１）を上方又は下方へ向かって回転させると共に、位置決めブロック（２２０）と位置決め孔（３３０）の結合によって回転プレート（２１）を位置決めさせる。
【産業上の利用可能性】
【００１４】
　本考案は上記の構成を有するので、コネクタ本体の両側に金属ピンを有するソケットが形成され、コネクタ本体の一側に位置決めカバーが設けられ、位置決めカバーには左方又は右方へ９０度まで回転可能な回転プラグが設けられることにより、コネクタ本体の両端におけるソケットを上方又は下方へ向かって回転させると共に、電話コードにおけるプラグは壁面と平行するようにコネクタのソケットと結合することができるので、コードの湾曲によってデジタル信号の伝送を邪魔する問題の発生を防止できる。
【図面の簡単な説明】
【００１５】
【図１】本考案に係る回転式電話コネクタの斜視図である。
【図２】本考案に係る回転式電話コネクタの分解斜視図である。
【図３】本考案に係る回転式電話コネクタにおける位置決めカバー及び回転プラグの内側を示す平面図である。
【図４】本考案に係る回転式電話コネクタの断面図である。
【図５】本考案に係る回転式電話コネクタの回転前状態を示す平面図である。
【図６】本考案に係る回転式電話コネクタの回転後状態を示す平面図である。
【符号の説明】
【００１６】
１０　　　　コネクタ本体
１００　　　金属ピン
１１　　　　ソケット
１２　　　　嵌合孔
２０　　　　回転ブロック
２１　　　　回転プレート
２２　　　　係り止めブロック
２２０　　　位置決めブロック
２３　　　　プラグ
２３０　　　弾性プレート
２４　　　　押圧プレート
３０　　　　位置決めカバー
３１　　　　嵌合ブロック
３２　　　　回転孔
３３　　　　係り止めブロック
３３０　　　位置決め孔
【図１】
0003099076.tif 000003
【図２】
0003099076.tif 000004
【図３】
0003099076.tif 000005
【図４】
0003099076.tif 000006
【図５】
0003099076.tif 000007
【図６】
0003099076.tif 000008